(57)【要約】【課題】板厚を大きくしたり点数を増やすことなく、保持力を向上させることができる照明器具用取付ばね及びそれを用いた照明器具を提供する。【解決手段】照明器具１は、放電ランプ６から照射される光を下方に反射させる反射板２ａ並びにランプソケット５及び安定器４が取着される天板２ｂを有する器具本体２と、反射板２ａに取着され天井材に照明器具１を取付けるための照明器具用取付ばね１０とを備える。この照明器具用取付ばね１０は、反射板２ａに取付けるための取付主片１０ａを有し、取付主片１０ａの略中央には反射板２ａの固定部に設けた係合突起と係止する弾性係止片が設けてある。さらに取付主片１０ａの両端には、ばね支持片１０ｂを介して弾性ばね片１０ｃがそれぞれ一体に延設されている。そして照明器具１を天井材に設けた埋込孔を通して埋込配設すると、各弾性ばね片１０ｃが天井材の上面と弾接して照明器具１が天井材に取付けられる。【選択図】図１
2008034144.tif 000002
【特許請求の範囲】
【請求項１】
天井材の下面に当接する外鍔を有する器具本体に設けた固定部に取付けられる取付部と、
前記取付部からそれぞれ延出し、前記天井材に設けた埋込孔を通して前記器具本体を埋込配設した状態で前記天井材の上面に弾接する複数の弾性ばね部とを備えて成ることを特徴とする照明器具用取付ばね。
【請求項２】
前記器具本体は樹脂製であって、係合突起及び当該係合突起を間にして両側に平行に設けられた一対の挿入溝を有する複数の前記固定部が一体に形成されており、
前記取付部は前記各挿入溝に両端側が挿入される挿入片を有し、前記挿入片において前記係合突起と対応する部位に、挿入方向の前方側を除く周囲に切欠きを設けることで前方側を前記挿入片と一体に連結するとともに後方側を撓み自在として、前記後方側を前記係合突起と係止させる弾性係止片を設けたことを特徴とする請求項１記載の照明器具用取付ばね。
【請求項３】
取付ばねを固定するための複数の固定部及びランプを装着するランプソケットを有する器具本体と、複数の前記固定部のうち少なくとも１つの固定部に取付けられる請求項１又は２の何れか１項に記載の照明器具用取付ばねと、前記ランプソケットを介して前記ランプに電源を供給する電源手段とを備えて成ることを特徴とする照明器具。
【発明の詳細な説明】
【技術分野】
【０００１】
本発明は、照明器具を天井材に取付けるための照明器具用取付ばね及びそれを用いた照明器具に関するものである。
【背景技術】
【０００２】
従来より、取付ばねを用いて天井材に取付けられる照明器具があった（例えば特許文献１参照）。この照明器具は、ランプが装着されるランプソケットを収納する器具本体と、器具本体の側面に配設された複数の取付ばねとを備えている。器具本体は下面に開口部を有し、開口縁には外側に向かって延出する外鍔が設けられている。また取付ばねは一端側が器具本体の側面に固定されるばね主片と、ばね主片を切り起こして形成され、端部が器具本体の側面に設けられた長孔に移動自在に係合するばね支片とを有している。そして天井材に設けた埋込孔を通して器具本体を埋込配設すると、ばね主片が天井材の上面を下向きに弾性付勢することにより外鍔が天井材の下面に当接して器具本体が保持される。
【０００３】
また取付ばねを用いて天井材に取付けられるものとして、図５に示すような照明器具１も提供されている。この照明器具１は、放電ランプ６が装着されるランプソケット５と、放電ランプ６の放電を適正に始動、安定させるための安定器４と、放電ランプ６から照射される光を下方に反射させる反射板２ａ並びにランプソケット５及び安定器４が取付けられる天板２ｂを有する器具本体２と、反射板２ａの側面に取付けられる一対の取付ばね７とを備えている。反射板２ａは下面に開口部２ｄを有し、開口縁には外側に向かって延出する外鍔２ｃが設けられている。また取付ばね７は細長い板状に形成されており、反射板２ａに設けた固定部２ｅに取付けられている。そして天井材８に設けた埋込孔９から器具本体２を埋込配設すると、取付ばね７が天井材８の上面を下向きに弾性付勢することにより外鍔２ｃが天井材８の下面に当接して器具本体２が保持される。
【特許文献１】実開平４−２１０１４号公報（第１頁、及び、第１図−第３図）
【発明の開示】
【発明が解決しようとする課題】
【０００４】
近年、施工が容易であるという利点から大型の照明器具にも取付ばねを採用する傾向があるが、上述した特許文献１の取付ばね及び図５に示す取付ばね７では、十分な保持力を得ることができず、照明器具の重量によるずれ下がりが起こる虞れがあった。
【０００５】
そこで取付ばねの保持力を向上させるために、取付ばねの板厚を大きくすることが考えられる。しかしこのような取付ばねを用いた照明器具では、器具本体を埋込孔を通して埋込配設する際に取付ばねを器具本体側に撓ませる必要があり、取付ばねの板厚を大きくすると加える力によっては塑性変形してしまい十分な保持力を確保できない虞れがあった。また保持力を確保した状態で器具本体の取付けができた場合であっても、取付ばねが天井材に加える弾性付勢力が大きいので天井材の変形が生じ、経年的に十分な保持力を確保できない虞れがあった。さらに器具本体が樹脂製の場合には、器具本体に設けた固定部に取付ばねの反力が働くため、器具本体が変形する虞れがあった。
【０００６】
また取付ばねの保持力を向上させるために、器具本体に取付ける取付ばねの点数を増やすことも考えられる。しかしこの場合、取付ばねの点数が増えるのでコストアップになってしまう。さらに器具本体が樹脂成型品の場合には、取付ばねを固定するための固定部の点数が増えることに伴って、金型の変更又は再製作が必要になり、コストアップになってしまう。
【０００７】
本発明は上記問題点に鑑みて為されたものであり、その目的とするところは、板厚を大きくしたり点数を増やしたりすることなく、保持力を向上させることができる照明器具用取付ばね及びそれを用いた照明器具を提供することにある。
【課題を解決するための手段】
【０００８】
請求項１の発明は、天井材の下面に当接する外鍔を有する器具本体に設けた固定部に取付けられる取付部と、取付部からそれぞれ延出し、天井材に設けた埋込孔を通して器具本体を埋込配設した状態で天井材の上面に弾接する複数の弾性ばね部とを備えて成ることを特徴とする。
【０００９】
請求項２の発明は、器具本体は樹脂製であって、係合突起及び当該係合突起を間にして両側に平行に設けられた一対の挿入溝を有する複数の固定部が一体に形成されており、取付部は各挿入溝に両端側が挿入される挿入片を有し、挿入片において係合突起と対応する部位に、挿入方向の前方側を除く周囲に切欠きを設けることで前方側を挿入片と一体に連結するとともに後方側を撓み自在として、後方側を係合突起と係止させる弾性係止片を設けたことを特徴とする。
【００１０】
請求項３の発明は、取付ばねを固定するための複数の固定部及びランプを装着するランプソケットを有する器具本体と、複数の固定部のうち少なくとも１つの固定部に取付けられる請求項１又は２の何れか１項に記載の照明器具用取付ばねと、ランプソケットを介してランプに電源を供給する電源手段とを備えて成ることを特徴とする。
【発明の効果】
【００１１】
請求項１の発明によれば、照明器具用取付ばねに複数の弾性ばね部を設けているので、器具本体に取付ける照明器具用取付ばねの点数を増やすことなく保持力を増大させることができるという効果がある。また取付部から複数の弾性ばね部を分岐させているので、弾性ばね部１個当たりの保持力は小さくて済むから、各弾性ばね部の板厚を大きくする必要がなく、器具本体に局所的に加わるばね反力を小さく抑えることができる。従って器具本体の固定部の形状を変更したり点数を増やしたりしなくてもよく、従来の器具本体を使用することができるという効果がある。さらに各弾性ばね部が天井材に加える弾性付勢力も小さくすることができるので、天井材の変形が生じることなく、経年的に十分な保持力を確保することができるという効果がある。また複数の弾性ばね部を設けることによって天井材との接触点数を増やすことができ、且つ接触面積を大きくすることができるので、照明器具を安定して取付けることができるという効果がある。
【００１２】
請求項２の発明によれば、請求項１の発明の効果により従来の器具本体を使用することができるので、器具本体を成型するための金型を変更したり再製作する必要がなく、コストアップを抑えることができ、且つ照明器具用取付ばねを取替えるだけで保持力を増大させることができるという効果がある。また器具本体の固定部の挿入溝に照明器具用取付ばねの挿入片の両側を挿入させることによって、固定部の係合突起が挿入片に設けた弾性係止片と係止するので、照明器具用取付ばねを器具本体にワンタッチで装着固定することができるという効果がある。さらに弾性係止片を外側に撓ませることで係合突起と弾性係止片との係止状態を解除することができるので、照明器具用取付ばねを器具本体から容易に取り外すことができ、取替えが容易であるという効果がある。
【００１３】
請求項３の発明によれば、請求項１又は２の何れか１項に記載の照明器具用取付ばねを少なくとも１つ用いることによって、器具本体のずれ下がりが発生することなく、天井材に対して安定した取付けが可能となる安価な照明器具を提供することができるという効果がある。
【発明を実施するための最良の形態】
【００１４】
以下に本発明の実施の形態を図１〜図４に基づいて説明する。図２に本発明に係る照明器具用取付ばね１０（以下、取付ばね１０という）の一実施形態を示し、図１に取付ばね１０を用いた照明器具１の一実施形態を示す。尚、図１及び図４については、取付ばね１０以外の構成は従来例と同様であり、同一の構成要素には同一の符号を付している。
【００１５】
本発明に係る取付ばね１０は、天井材８に設けた埋込孔９を通して埋込配設される照明器具１を天井材８に取付保持するために用いられる。
【００１６】
照明器具１は、放電ランプ６が装着されるランプソケット５と、放電ランプ６を安定放電させるための安定器４と、放電ランプ６から照射される光を下方に反射させる反射板２ａ並びにランプソケット５及び安定器４が取付けられる天板２ｂを有する器具本体２と、反射板２ａに取付けられ天井材８に照明器具１を取付保持するための取付ばね１０（図１では２個）とを備えている。
【００１７】
まず本発明に係る取付ばね１０について図２に基づいて説明する。取付ばね１０は、図２（ａ）に示すように反射板２ａに取付けるための矩形板状の取付主片１０ａを有しており、この取付主片１０ａの下端には取付主片１０ａよりも幅寸法の小さい取付支片１０ｄが下方に向かって一体に形成されている。ここに、取付主片１０ａと取付支片１０ｂとで取付部を構成している。また取付主片１０ａの略中央には上側及び左右両側の３方向に略コ字状の切欠部１０ｅを設けることで弾性係止片１０ｆが切り起こしによって形成されており、上側先端が図２（ａ）において後側に折り曲げられている。この弾性係止片１０ｆは下側で取付主片１０ａと一体に連結されており、上側が図２（ａ）において前後方向に撓み自在となっている。
【００１８】
さらに取付主片１０ａの左右両側には、上部で取付主片１０ａと連結されたばね支持片１０ｂがそれぞれ一体に形成されており、各ばね支持片１０ｂの下端から図２（ａ）において前面側に向かって弾性ばね片（弾性ばね部）１０ｃがそれぞれ延設されている。両ばね支持片１０ｂ，１０ｂは、それぞれ取付主片１０ａの左右両側から斜め後方に向かって延出しており、取付部を後述する固定部２ｅに取付けると、両ばね支持片１０ｂ,１０ｂは後述する反射板２ａの側面に沿って配置される。
【００１９】
この取付ばね１０は、取付主片１０ａと各ばね支持片１０ｂとがなす角度θ（図２（ｂ）参照）を調整することによって、様々な外径寸法の反射板２ａに取付けることができる。
【００２０】
また、各弾性ばね片１０ｃは取付主片１０ａと各ばね支持片１０ｂとの連結部位から距離Ｌだけ離れた位置にそれぞれ設けられており、距離Ｌを調整することによって反射板２ａに加わるばね反力を制御することができる。例えば距離Ｌを大きくした場合には反射板２ａに加わるばね反力は小さくなり、反射板２ａの変形を抑えることができる。
【００２１】
次に器具本体２について図１及び図３に基づいて説明する。器具本体２は図１に示すように、円筒状に形成された樹脂製の反射板２ａと矩形板状の天板２ｂとを有している。反射板２ａは下面に開口部２ｄを有しており、開口縁には外側に延出する外鍔２ｃが全周に渡って設けられている。さらに図３（ａ）に示すように反射板２ａの側面には、外鍔２ｃの上側近傍に取付ばね１０を固定するための固定部２ｅが複数（例えば２箇所）設けられている。
【００２２】
この固定部２ｅは、図３（ａ）に示すように取付ばね１０の弾性係止片１０ｆと係止する側面視三角形状の係合突起１２ａを有しており、この係合突起１２ａを間にして両側には、取付ばね１０の取付主片１０ａの幅寸法と略同じ間隔を開けて互いに平行に突出する側片１２ｃと、各側片１２ｃの端縁から互いに対向する反対側に向かって延出する主片１２ｄとで構成された一対のガイド主片１４が設けられている。さらに係合突起１２ａと各側片１２ｃとの間には、それぞれガイド主片１２ｂが突設されている。各ガイド主片１２ｂの先端面は同一平面に形成され、この先端面と各主片１２ｄの内側面との間隔が取付ばね１０の取付主片１０ａの板厚と略同じ寸法に設定されており、左右それぞれのガイド主片１２ｂの先端面と各主片１２ｄの内側面とで一対の挿入溝１５（図３（ｂ）参照）が形成されている。
【００２３】
また係合突起１２ａの下方には、先端面が両ガイド主片１２ｂ，１２ｂの先端面と同一平面となるように補助ガイド片１２ｅが設けられており、この補助ガイド片１２ｅを間にして両側には、取付ばね１０の取付支片１０ｄの幅寸法と略同じ間隔を開けて一対の位置決めリブ１２ｆが設けられている。
【００２４】
一方、天板２ｂには、図１に示すように２つのランプソケット５及び安定器４が取付けられており、各ランプソケット５は安定器４と電線１３（図４参照）を介して電気的に接続されている。また各ランプソケット５にはそれぞれ放電ランプ６が装着されており、安定器４の側面には商用電源（図示せず）から電源を供給するための電源線（図示せず）を接続する端子台１１が設けられている。尚、安定器４は放電ランプ６の放電を適正に始動、安定させるための周知の安定器であり、詳細については説明を省略する。
【００２５】
ここで、反射板２ａの固定部２ｅに取付ばね１０を取付ける方法について説明する。まず取付ばね１０の取付支片１０ｄを両挿入溝１５，１５に沿って挿入し、取付主片１０ａを両ガイド主片１２ｂ，１４に当接させた状態で下方にスライドさせる。スライド途中において取付支片１０ｄは補助ガイド片１２ｅの先端面に当接し、弾性係止片１０ｆは係合突起１２ａにより外側に押し曲げられる。さらに取付主片１０ａを下方にスライドさせると、弾性係止片１０ｆが係合突起１２ａを乗り越えて係合突起１２ａの下端部が切欠部１０ｅ内に嵌まり込むとともに、ばね反力によって弾性係止片１０ｆが元の状態に戻る。そして係合突起１２ａの下端部が弾性係止片１０ｆの上端縁に係止され、取付ばね１０の取付けが完了する（図３（ｂ）参照）。この時取付ばね１０は、取付主片１０ａをガイド主片１４の両側片１２ｃ，１２ｃに、取付支片１０ｄを両位置決めリブ１２ｆ，１２ｆにそれぞれ当接させることによって幅方向に位置決めされ、取付主片１０ａをガイド主片１２ｂの端面及びガイド主片１４の主片１２ｄの内側面に当接させることによって厚み方向に位置決めされる。
【００２６】
このように、取付主片１０ａを両挿入溝１５，１５に沿ってスライドさせるだけで取付ばね１０を簡単に反射板２ａに装着固定することができる。さらに弾性係止片１０ｆを外側に撓ませることによって、弾性係止片１０ｆと係合突起１２ａとの係止状態が解除されるので、取付ばね１０を反射板２ａから容易に取り外すことができ、取付ばね１０の取替えが容易である。
【００２７】
そして、各取付ばね１０の両弾性ばね片１０ｃ，１０ｃを反射板２ａ側に撓めた状態で、安定器４側から天井材８に設けた埋孔込９に挿入し、反射板２ａの外鍔２ｃが天井材８の下面と当接するまで押し込むと、天井裏で両弾性ばね片１０ｃ，１０ｃが外側に拡開する。この時、取付ばね１０の両弾性ばね片１０ｃ，１０ｃは、それぞれ天井材８の上面を下向きに弾性付勢した状態で天井材８の上面に当接しており、この弾性力の反力によって器具本体２が持ち上げられ、天井材８の下面に外鍔２ｃが押し付けられるので、器具本体２が天井材８に取付けられる。
【００２８】
上述した取付ばね１０では、１つの固定部２ｅに対して２つの弾性ばね片１０ｃを設けているので、反射板２ａに取付ける取付ばね１０の点数を増やすことなく保持力を増大させることができる。また取付主片１０ａから２つの弾性ばね片１０ｃを分岐させているので、弾性ばね片１０ｃ１個当たりの保持力は小さくて済むから、各弾性ばね片１０ｃの板厚を大きくする必要がなく、反射板２ａに局所的に加わるばね反力を小さく抑えることができる。従って反射板２ａの固定部２ｅの形状を変更したり点数を増やしたりしなくてもよく、従来の反射板２ａを使用することができる。さらに各弾性ばね片１０ｃが天井材８に加える弾性付勢力も小さくすることができるので、天井材８の変形が生じることなく、経年的に十分な保持力を確保することができる。また２つの弾性ばね片１０ｃを設けることによって天井材８との接触点数を増やすことができ、且つ接触面積を大きくすることができるので、照明器具１を安定して取付けることができる。
【００２９】
また反射板２ａは樹脂成型品であり、従来の反射板２ａを使用することによって反射板２ａを成型するための金型を変更したり再製作する必要がなく、コストアップを抑えることができ、且つ従来の取付ばね７を取付ばね１０に取替えるだけで保持力を増大させることができる。
【００３０】
次に、本発明に係る取付ばね１０を用いた照明器具１の他の実施形態を図４に基づいて説明する。図４は従来の取付ばね７と取付ばね１０とを併用した照明器具１を示しており、図４において左側に安定器４が取付けられ重心が左側に偏っている。また反射板２ａには左右両側に固定部２ｅがそれぞれ設けられており、左側の固定部２ｅには取付ばね１０が、右側の固定部２ｅには従来の取付ばね７が取付けられている。このように重心が移動した側の固定部２ｅに保持力の大きい取付ばね１０を、反対側の固定部２ｅに取付ばね１０に比べて保持力の小さい従来の取付ばね７を併用することによって、図４に示すようなバランスの悪い照明器具１であっても、天井材８に対して安定して取付けることができる。
【００３１】
さらに取付ばね１０を少なくとも１つ用いることによって、器具本体１のずれ下がりが発生することなく、天井材８に対して安定した取付けが可能となる安価な照明器具１を提供することができる。
【００３２】
尚、本実施形態では、弾性ばね片１０ｃを２つに分岐させた取付ばね１０を例に説明したが、分岐数は本実施形態に限定されるものではなく、用途に応じて３つ以上に分岐させてもよい。また本実施形態では、放電ランプ６を例に説明したが、使用するランプは本実施形態に限定されるものではなく、白熱ランプ等であってもよい。さらに本実施形態では、反射板２ａに２箇所の固定部２ｅを設けた場合を例に説明したが、固定部２ｅの数は本実施形態に限定されるものではなく、３箇所以上設けてもよい。
【図面の簡単な説明】
【００３３】
【図１】本実施形態の照明器具用取付ばねを用いた照明器具の外観斜視図である。
【図２】（ａ）は同上の照明器具用取付ばねの外観斜視図である。（ｂ）は同上の照明器具用取付ばねの一部省略せる上面図である。
【図３】（ａ）は同上の器具本体に設けた固定部の詳細斜視図である。（ｂ）は同上の器具本体に一部省略せる照明器具用取付ばねを取付けた状態の要部拡大斜視図である。
【図４】同上の他の照明器具の一部破断せる正面図である。
【図５】（ａ）は従来例の照明器具の上面図である。（ｂ）は従来例の照明器具の一部破断せる正面図である。
【符号の説明】
【００３４】
１      照明器具
２      器具本体
２ａ    反射板
２ｃ    外鍔
２ｅ    固定部
１０    照明器具用取付ばね
１０ａ  取付主片（取付部）
１０ｃ  弾性ばね片（弾性ばね部）
１０ｄ  取付支片（取付部）
１０ｆ  弾性係止片
１２ａ  係合突起
１５    挿入溝
【図１】
2008034144.tif 000003
【図２】
2008034144.tif 000004
【図３】
2008034144.tif 000005
【図４】
2008034144.tif 000006
【図５】
2008034144.tif 000007